(57)【要約】【課題】本発明は、型くずれを防止でき、収納領域の省スペース化を図れ、更には、湿気や臭気を自然に除去できるブーツ収納具セットを提供するものである。【解決手段】本発明のブーツ収納具セット１１は、ブーツ２０の靴先近傍の両側部が締め付けられる状態でその靴先側が装着される装着領域４を有する刺股状で突出端側に一対の拡開片２ａを備えたブーツ靴先装着部２と、このブーツ靴先装着部２から装着領域４とは反対側に突出させた空気流通路５を形成するブーツ内挿入筒部３と、を有するブーツ収納具１を２個具備し、２個のブーツ収納具１により、一対のブーツ２０を上下互い違いに対向配置する状態で支持し、任意の収納箇所に省スペース化を図りつつ収納可能としたものである。【選択図】図３
2008253462.tif 000002
【特許請求の範囲】
【請求項１】
ブーツの靴先側が装着される装着領域を有する刺股状のブーツ靴先装着部と、
このブーツ靴先装着部に対して前記装着領域とは反対側に突出する状態に連設したブーツ内挿入用のブーツ内挿入筒部と、
を有することを特徴とするブーツ収納具。
【請求項２】
ブーツの靴先近傍の両側部が締め付けられる状態でその靴先側が装着される装着領域を有する刺股状で突出端側に一対の拡開片を備えたブーツ靴先装着部と、
このブーツ靴先装着部に対して前記装着領域とは反対側に突出する状態に連設した円筒状若しくは略円筒状或いは略裁頭楕円錐状又は略楕円筒状で前記装着領域に連なる空気流通路を形成するブーツ内挿入用のブーツ内挿入筒部と、
を有することを特徴とするブーツ収納具。
【請求項３】
ブーツの靴先近傍の両側部が締め付けられる状態でその靴先側が装着される装着領域を有する刺股状で突出端側に一対の拡開片を備えたブーツ靴先装着部と、このブーツ靴先装着部に対して前記装着領域とは反対側に突出する状態に連設した円筒状若しくは略円筒状或いは略裁頭楕円錐状又は略楕円筒状で前記装着領域に連なる空気流通路を形成するブーツ内挿入用のブーツ内挿入筒部と、を有するブーツ収納具を２個具備するブーツ収納具セットであって、
設置面上で正立状態に配置する一方のブーツ収納具のブーツ内挿入筒部を一方のブーツの胴筒部に挿入してこの一方のブーツを倒立状態で支持するとともに、一方のブーツ収納具のブーツ靴先装着部に他方のブーツの足先を装着して正立状態とし、
正立状態における他方のブーツの胴筒部内に、倒立状態における他方のブーツ収納具のブーツ内挿入筒部を挿入するとともに、この他方のブーツ収納具のブーツ靴先装着部に前記一方のブーツの足先を装着し、
一対のブーツを上下互い違いに対向配置する状態で任意の収納箇所に収納可能としたことを特徴とするブーツ収納具セット。
【請求項４】
ブーツの靴先近傍の両側部が締め付けられる状態でその靴先側が装着される装着領域を有する刺股状で突出端側に一対の拡開片を備えたブーツ靴先装着部と、このブーツ靴先装着部に対して前記装着領域とは反対側に突出する状態に連設した円筒状若しくは略円筒状或いは略裁頭楕円錐状又は略楕円筒状で前記装着領域に連なる空気流通路を形成するブーツ内挿入用のブーツ内挿入筒部と、を有するブーツ収納具を２個具備するブーツ収納具セットであって、
設置面上において２個のブーツ収納具を前記ブーツ靴先装着部を下側とする並列状態とし、２個のブーツ収納具の各ブーツ内挿入筒部に一対のブーツの胴筒部を各々挿入して一対のブーツを倒立状態で任意の収納箇所に並列収納可能としたことを特徴とするブーツ収納具セット。
【請求項５】
ブーツの靴先近傍の両側部が締め付けられる状態でその靴先側が装着される装着領域を有する刺股状で突出端側に一対の拡開片を備えたブーツ靴先装着部と、このブーツ靴先装着部に対して前記装着領域とは反対側に突出する状態に連設した円筒状若しくは略円筒状或いは略裁頭楕円錐状又は略楕円筒状で前記装着領域に連なる空気流通路を形成するブーツ内挿入用のブーツ内挿入筒部と、を有するブーツ収納具を２個具備するブーツ収納具セットであって、
設置面上において一対のブーツを正立状態で並列配置し、一対のブーツの胴筒部に各々２個のブーツ収納具のブーツ内挿入筒部を挿入して２個のブーツ収納具を一対のブーツの各上端側で倒立状態とした状態で一対のブーツを任意の収納箇所に並列収納することを特徴とするブーツ収納具セット。
【請求項６】
ロングブーツの靴先近傍の両側部が締め付けられる状態でその靴先側が装着される装着領域を有する一対の刺股状のブーツ靴先装着部と、
このブーツ靴先装着部に対して前記装着領域とは反対側に突出する状態に連設した円筒状若しくは略円筒状或いは略裁頭楕円錐状又は略楕円筒状で前記装着領域に連なる空気流通路を有するとともに、任意数の空気穴を筒壁部に設け、全長をロングブーツに対応する寸法としたブーツ内挿入用のブーツ内挿入筒部と、
を有することを特徴とするブーツ収納具。
【請求項７】
ロングブーツの靴先近傍の両側部が締め付けられる状態でその靴先側が装着される装着領域を有する一対の刺股状のブーツ靴先装着部と、このブーツ靴先装着部に対して前記装着領域とは反対側に突出する状態に連設した円筒状若しくは略円筒状或いは略裁頭楕円錐状又は略楕円筒状で前記装着領域に連なる空気流通路を有するとともに、任意数の空気穴を筒壁部に設け、全長をロングブーツに対応する寸法としたブーツ内挿入用のブーツ内挿入筒部と、を有するブーツ収納具を２個具備するブーツ収納具セットであって、
設置面上で正立状態に配置する一方のブーツ収納具のブーツ内挿入筒部を一方のロングブーツの胴筒部に挿入して、この一方のロングブーツを倒立状態で支持するとともに、一方のブーツ収納具のブーツ靴先装着部に他方のロングブーツの足先を装着して正立状態とし、
正立状態における他方のロングブーツの胴筒部内に、倒立状態における他方のブーツ収納具のブーツ内挿入筒部を挿入するとともに、この他方のブーツ収納具のブーツ靴先装着部に前記一方のロングブーツの足先を装着し、
一対のロングブーツを上下互い違いに対向配置する状態で任意の収納箇所に収納可能としたことを特徴とするブーツ収納具セット。
【請求項８】
ブーツの靴先近傍の両側部が締め付けられる状態でその靴先側が装着される装着領域を有する一対の刺股状のブーツ靴先装着部と、
このブーツ靴先装着部に前記装着領域とは反対側に突出する状態で連設した基部筒部と、この基部筒部に着脱可能な突出端側の突出筒部とを具備し、装着状態で内部に前記装着領域に連なる空気流通路を形成するロングブーツ挿入用の円筒状若しくは略円筒状或いは略裁頭楕円錐状又は略楕円筒状を呈する形状とするとともに、任意数の空気穴を筒壁部に設け、前記基部筒部に対する突出筒部の装着位置をロングブーツの寸法に応じた調整可能な突出寸法調整機構を備え、前記突出筒部を離脱させた状態でハーフブーツ挿入に対応するブーツ内挿入筒部と、
を有することを特徴とするブーツ収納具。
【請求項９】
ブーツの靴先近傍の両側部が締め付けられる状態でその靴先側が装着される装着領域を有する一対の刺股状のブーツ靴先装着部と、このブーツ靴先装着部に前記装着領域とは反対側に突出する状態で連設した基部筒部と、この基部筒部に着脱可能な突出端側の突出筒部とを具備し、装着状態で内部に前記装着領域に連なる空気流通路を形成するロングブーツ挿入用の円筒状若しくは略円筒状或いは略裁頭楕円錐状又は略楕円筒状を呈する形状とするとともに、任意数の空気穴を筒壁部に設け、前記基部筒部に対する突出筒部の装着位置をロングブーツの寸法に応じた調整可能な突出寸法調整機構を備え、前記突出筒部を離脱させた状態でハーフブーツ挿入に対応するブーツ内挿入筒部と、を２個具備するブーツ収納具セットであって、
設置面上で正立状態に配置する一方のブーツ収納具のブーツ内挿入筒部を一方のロングブーツの胴筒部に挿入して、この一方のロングブーツを倒立状態で支持するとともに、一方のブーツ収納具のブーツ靴先装着部に他方のロングブーツの足先を装着して正立状態とし、
正立状態における他方のロングブーツの胴筒部内に、倒立状態における他方のブーツ収納具のブーツ内挿入筒部を挿入するとともに、この他方のブーツ収納具のブーツ靴先装着部に前記一方のロングブーツの足先を装着し、一対のロングブーツを上下互い違いに対向配置する状態で任意の収納箇所に収納可能とし、
前記２個の各ブーツ収納具セットにおける各突出筒部を離脱させた状態で、設置面上で正立状態に配置する一方のブーツ収納具のブーツ内挿入筒部の基部筒部を一方のハーフブーツの胴筒部に挿入して、この一方のハーフブーツを倒立状態で支持するとともに、一方のブーツ収納具のブーツ靴先装着部に他方のハーフブーツの足先を装着して正立状態とし、
正立状態における他方のハーフブーツの胴筒部内に、倒立状態における他方のブーツ収納具のブーツ内挿入筒部の基部筒部を挿入するとともに、この他方のブーツ収納具のブーツ靴先装着部に前記一方のハーフブーツの足先を装着し、一対のハーフブーツを上下互い違いに対向配置する状態で任意の収納箇所に収納可能として、
一対のロングブーツ、一対のハーフブーツを選択的に収納し得るようにしたことを特徴とするブーツ収納具セット。
【請求項１０】
ハーフブーツの靴先近傍の両側部が締め付けられる状態でその靴先側が装着される装着領域を有する一対の刺股状のブーツ靴先装着部と、
このブーツ靴先装着部に対して前記装着領域とは反対側に突出する状態に連設した円筒状若しくは略円筒状或いは略裁頭楕円錐状又は略楕円筒状で前記装着領域に連なる空気流通路を有するとともに、任意数の空気穴を筒壁部に設け、全長をハーフブーツに対応する寸法としたブーツ内挿入用のブーツ内挿入筒部と、
を有することを特徴とするブーツ収納具。
【請求項１１】
ハーフブーツの靴先近傍の両側部が締め付けられる状態でその靴先側が装着される装着領域を有する一対の刺股状のブーツ靴先装着部と、
このブーツ靴先装着部に対して前記装着領域とは反対側に突出する状態に連設した円筒状若しくは略円筒状或いは略裁頭楕円錐状又は略楕円筒状で前記装着領域に連なる空気流通路を有するとともに、任意数の空気穴を筒壁部に設け、全長をハーフブーツに対応する寸法としたブーツ内挿入用のブーツ内挿入筒部と、
を有するブーツ収納具を２個具備するブーツ収納具セットであって、
設置面上で正立状態に配置する一方のブーツ収納具のブーツ内挿入筒部を一方のハーフブーツの胴筒部に挿入して、この一方のハーフブーツを倒立状態で支持するとともに、一方のブーツ収納具のブーツ靴先装着部に他方のハーフブーツの足先を装着して正立状態とし、
正立状態における他方のハーフブーツの胴筒部内に、倒立状態における他方のブーツ収納具のブーツ内挿入筒部を挿入するとともに、この他方のブーツ収納具のブーツ靴先装着部に前記一方のハーフブーツの足先を装着し、
一対のハーフブーツを上下互い違いに対向配置する状態で任意の収納箇所に収納可能としたことを特徴とするブーツ収納具セット。
【発明の詳細な説明】
【技術分野】
【０００１】
本発明は、ブーツ収納具及びブーツ収納具セットに関し、詳しくは、簡略構成でありながらブーツの型くずれ防止、収納領域の省スペース化を図ることができるブーツ収納具及びブーツ収納具セットに関するものである。
【背景技術】
【０００２】
例えば、ロングブーツの場合、その胴筒部の寸法が大きいことから、通常の革靴やハイヒール等の靴に比べ収納領域がどうしても大きくなり、また、無闇に下駄箱等に収納すると型くずれ、湿気や臭気の滞留等の問題も生じる。
【０００３】
このため、従来においても種々のブーツスタンド等が提案されているが、型くずれ防止の点や、収納領域の省スペース化の点、更には、湿気や臭気の除去の点で充分な機能を有するものは少ないのが現状である。
【０００４】
特許文献１には、ブーツの筒状部内に挿入する筒形状のスタンド本体と、このスタンド本体の上部に連結しブーツのつま先部分を保持するつま先保持具等を具備するブーツスタンドが提案されている。
【０００５】
このブーツスタンドの場合、スタンド本体と、つま先保持具とが別体に構成され、連結されているため、構造が複雑であり取り扱いも不便である。
【特許文献１】特開２００２−１５３３７０号公報
【発明の開示】
【発明が解決しようとする課題】
【０００６】
本発明が解決しようとする問題点は、型くずれ防止を図れ、収納領域が少なくて済み、しかも、湿気や臭気の除去を自然に行うことができ、取り扱いも簡略であり、各種サイズのブーツに対応可能なブーツ収納具、ブーツ収納具セットが存在しない点である。
【課題を解決するための手段】
【０００７】
本発明に係るブーツ収納具は、ブーツの靴先側が装着される装着領域を有する刺股状のブーツ靴先装着部と、このブーツ靴先装着部に対して前記装着領域とは反対側に突出する状態に連設したブーツ内挿入用のブーツ内挿入筒部と、を有することを最も主要な特徴とする。
【発明の効果】
【０００８】
請求項１記載の発明によれば、刺股状のブーツ靴先装着部に対してブーツの靴先側を装着することでブーツを正立状態で支持でき、また、ブーツ内挿入筒部に対してブーツの胴筒部を嵌め付けることでブーツを倒立状態で支持することができ、全体が一体構成であるため取り扱いも極めて簡略なブーツ収納具を提供できる。
【０００９】
請求項２記載の発明によれば、刺股状のブーツ靴先装着部に対してブーツの靴先側を靴先近傍の両側部が締め付けられる状態で装着することでブーツを正立状態で安定して支持でき、また、装着領域に連なる空気流通路を形成するブーツ内挿入筒部に対してブーツの胴筒部を嵌め付けることでブーツを倒立状態で支持でき、かつ、ブーツ内の湿気、臭気を各ブーツ内挿入筒部を経て外部に抜くことができ、全体が一体構成であるため取り扱いも極めて簡略なブーツ収納具を提供できる。
【００１０】
請求項３記載の発明によれば、２個のブーツ収納具の一方を設置面上で正立状態に配置し、他方を倒立状態として一対のブーツを上下互い違いに対向配置する状態で任意の収納箇所に収納することができ、これにより、一足のブーツを幅を取らず、かつ、型くずれしない状態で例えば下駄箱等に収納することができるブーツ収納具セットを提供できる。また、ブーツ収納具は、ブーツの靴先近傍の両側部が締め付けられる状態でその靴先側が装着されるとともに、突出端側に一対の拡開片を備ることから、正立状態の一方のブーツ収納具により他方のブーツの靴先部分を安定した状態で支持でき、かつ、一方のブーツを倒立状態で安定して支持できる。
【００１１】
更に、各ブーツ収納具の各ブーツ内挿入筒部は、前記装着領域に連なる空気流通路を形成するので、各ブーツ内の湿気、臭気を、各ブーツ内挿入筒部を経て外部に抜くことができる。加えて、各ブーツ収納具は各々一体構成であるため取り扱いも極めて簡略である。
【００１２】
請求項４記載の発明によれば、２個のブーツ収納具のブーツ靴先装着部を下側とする並列状態とし、各々突出端側に一対の拡開片を有する２個のブーツ収納具の各ブーツ内挿入筒部に一対のブーツの胴筒部を各々挿入して一対のブーツを倒立状態で支持することから、一対のブーツを倒立状態で型くずれすることなく安定して支持できるブーツ収納具セットを提供できる。また、各ブーツ収納具の各ブーツ内挿入筒部は、前記装着領域に連なる空気流通路を形成するので、各ブーツ内の湿気、臭気を、各ブーツ内挿入筒部を経て外部に抜くことができる。加えて、各ブーツ収納具は各々が一体構成であるため取り扱いも極めて簡略である。
【００１３】
請求項５記載の発明によれば、設置面上で一対のブーツを正立状態で並列配置し、一対のブーツの胴筒部に各々２個のブーツ収納具のブーツ内挿入筒部を挿入して２個のブーツ収納具を一対のブーツの各上端側で倒立状態とするものであるから、一対のブーツについて、型崩れ防止等の特別な手入れを要することなく、２個のブーツ収納具の保管の便宜を図ることができるブーツ収納具セットを提供できる。また、各ブーツ収納具における各ブーツ内挿入筒部は、前記装着領域に連なる空気流通路を形成するので、各ブーツ内の湿気、臭気を、各ブーツ内挿入筒部を経て外部に抜くことができる。加えて、各ブーツ収納具は各々一体構成であるため取り扱いも極めて簡略である。
【００１４】
請求項６記載の発明によれば、刺股状のブーツ靴先装着部に対してロングブーツの靴先側を靴先近傍の両側部が締め付けられる状態で装着することでロングブーツを正立状態で安定して支持でき、また、装着領域に連なる空気流通路を形成するブーツ内挿入筒部に対してロングブーツの胴筒部を嵌め付けることでロングブーツを倒立状態で支持でき、かつ、ロングブーツ内の湿気、臭気を各ブーツ内挿入筒部の空気穴、空気流通路を経て外部に抜くことができ、全体が一体構成であるため取り扱いも極めて簡略なロングブーツに対応したブーツ収納具を提供できる。
【００１５】
請求項７記載の発明によれば、請求項３記載の発明の場合と同様に、一対のロングブーツを上下互い違いに対向配置する状態で任意の収納箇所に収納することができ、これにより、一足のロングブーツを幅を取らず、かつ、型くずれしない状態で例えば下駄箱等に収納することができ、かつ、各ロングブーツ内の湿気、臭気を、各ブーツ内挿入筒部を経て外部に抜くことができ、加えて、各ブーツ収納具は各々一体構成であるため取り扱いも極めて簡略なロングブーツに対応したブーツ収納具セットを提供できる。
【００１６】
請求項８記載の発明によれば、ロングブーツに対応する場合には請求項６記載の発明の場合と同様な効果を奏するとともに、突出寸法調整機構により種々の長さ寸法のロングブーツにも各々対応でき、更に、突出筒部を離脱させた状態でハーフブーツの収納にも対応できるブーツ収納具を提供できる。
【００１７】
請求項９記載の発明によれば、請求項７記載の発明の場合と同様に、種々の長さ寸法の一対のロングブーツを上下互い違いに対向配置する状態で任意の収納箇所に収納することができ、これにより、一足のロングブーツを幅を取らず、かつ、型くずれしない状態で例えば下駄箱等に収納することができ、かつ、各ロングブーツ内の湿気、臭気を、各ブーツ内挿入筒部を経て外部に抜くことができ、また、一対のハーフブーツについても突出筒部を離脱させた状態とすることでロングブーツの場合と同様な効果を発揮させることができ、
全体として取り扱いが極めて簡略なロングブーツ、ハーフブーツ選択型のブーツ収納具セットを提供できる。
【００１８】
請求項１０記載の発明によれば、刺股状のブーツ靴先装着部に対してハーフブーツの靴先側を靴先近傍の両側部が締め付けられる状態で装着することでハーフブーツを正立状態で安定して支持でき、また、装着領域に連なる空気流通路を形成するブーツ内挿入筒部に対してハーフブーツの胴筒部を嵌め付けることでハーフブーツを倒立状態で支持でき、かつ、ハーフブーツ内の湿気、臭気を各ブーツ内挿入筒部の空気穴、空気流通路を経て外部に抜くことができ、全体が一体構成であるため取り扱いも極めて簡略なハーフブーツに対応したブーツ収納具を提供できる。
【００１９】
請求項１１記載の発明によれば、一対のハーフブーツを上下互い違いに対向配置する状態で任意の収納箇所に収納することができ、これにより、一足のハーフブーツを、幅を取らず、かつ、型くずれしない状態で例えば下駄箱等に収納することができ、かつ、各ハーフブーツ内の湿気、臭気を、各ブーツ内挿入筒部を経て外部に抜くことができ、加えて、各ブーツ収納具は各々一体構成であるため取り扱いも極めて簡略なハーフブーツに対応したブーツ収納具セットを提供できる。
【発明を実施するための最良の形態】
【００２０】
本発明は、型くずれを防止でき、収納領域の省スペース化を図れ、更には、湿気や臭気を自然に除去できるブーツ収納具セットを提供するという目的を、ブーツの靴先近傍の両側部が締め付けられる状態でその靴先側が装着される装着領域を有する刺股状で突出端側に一対の拡開片を備えたブーツ靴先装着部と、このブーツ靴先装着部に対して前記装着領域とは反対側に突出する状態に連設した円筒状若しくは略円筒状或いは略裁頭楕円錐状又は略楕円筒状で前記装着領域に連なる空気流通路を形成するブーツ内挿入用のブーツ内挿入筒部と、を有するブーツ収納具を２個具備するブーツ収納具セットであって、設置面上で正立状態に配置する一方のブーツ収納具のブーツ内挿入筒部を一方のブーツの胴筒部に挿入してこの一方のブーツを倒立状態で支持するとともに、一方のブーツ収納具のブーツ靴先装着部に他方のブーツの足先を装着して正立状態とし、正立状態における他方のブーツの胴筒部内に、倒立状態における他方のブーツ収納具のブーツ内挿入筒部を挿入するとともに、この他方のブーツ収納具のブーツ靴先装着部に前記一方のブーツの足先を装着して倒立状態とし、一対のブーツを上下互い違いに対向配置する状態で任意の収納箇所に収納可能とした構成により実現した。
【実施例】
【００２１】
以下に、本発明の実施例に係るブーツ収納具及びブーツ収納具セットについて図面を参照して詳細に説明する。
【００２２】
（実施例１）
図１、図２を参照して、本発明の実施例１に係るブーツ収納具１について説明する。
本実施例１に係るブーツ収納具１は、図１、図２に示すように、一定幅を有する刺股状で両側の突出端側に各々外方に拡がる一対の拡開片２ａ、２ａを備えたブーツ靴先装着部２と、ブーツ内挿入筒部３とを、例えば合成樹脂材により一体構成したものである。
【００２３】
前記ブーツ靴先装着部２は、ブーツ２０（片側）の靴先近傍の両側部が締め付けられる状態でその靴先側が装着される寸法に形成した側面略逆Ｕ状の装着領域４を有している。
【００２４】
また、前記ブーツ靴先装着部２は、前記ブーツ２０の靴先側が装着される側の端面２ｂの形状が前記ブーツ２０の靴先側が装着し易いように弧状となっている。
【００２５】
前記ブーツ内挿入筒部３は、前記装着領域４とは反対側に例えば１０ｃｍ乃至数十ｃｍ位突出する状態に連設した円筒状若しくは略円筒状或いは略裁頭楕円錐状又は略楕円筒状の形状とされており、その内部に前記装着領域４に連なる空気流通路５を具備している。ブーツ内挿入筒部３の突出寸法は、特に限定するものではなく、収納対象であるブーツ２０の胴筒部２１の長さに応じて種々に設定できる。また、図１、図２に示す前記ブーツ収納具１の全長（高さ寸法）Ｈ１は、例えば、３０〜３８ｃｍ位に設定する例を挙げることができる。
【００２６】
本実施例１のブーツ収納具１によれば、一定幅を有する刺股状のブーツ靴先装着部２に対してブーツ２０（左右一対のうちの一方）の靴先側を靴先近傍の両側部が締め付けられる状態で装着することで、このブーツ２０を正立状態で安定して支持できる。
【００２７】
また、装着領域に連なる空気流通路５を形成するブーツ内挿入筒部３に対してブーツ２０（左右一対のうちの他方）の胴筒部２１を嵌め付けることで、このブーツ２０を倒立状態で支持でき、かつ、このブーツ２０内の湿気、臭気を各ブーツ２０内のブーツ内挿入筒部３における空気流通路５を経て外部に自然に抜くことができる。更に、ブーツ収納具１は全体が一体構成であるため、取り扱いも極めて簡略となる。
【００２８】
（実施例２）
図３、図４を参照して本発明の実施例２に係るブーツ収納具セット１１について説明する。本実施例２に係るブーツ収納具セット１１は、図３に示すように、上述したブーツ収納具１を２個用いてセットにしたものである。
【００２９】
すなわち、本実施例２に係るブーツ収納具セット１１においては、設置面上で正立状態に配置する一方のブーツ収納具１のブーツ内挿入筒部３を左右一対の内の一方におけるブーツ２０の胴筒部２１内に挿入してこの一方のブーツ２０を倒立状態で支持するとともに、一方のブーツ収納具１のブーツ靴先装着部２に左右一対のうちの他方のブーツ２０の足先を締め付けるようにして装着し、他方のブーツ２０を正立状態で保持する。
【００３０】
また、正立状態における他方のブーツ２０の胴筒部２１内に、倒立状態における他方のブーツ収納具１のブーツ内挿入筒部３を挿入するとともに、この他方のブーツ収納具１のブーツ靴先装着部２に前記一方のブーツ２０の足先を締め付けるようにして装着し、このブーツ２０を倒立状態で保持する。
【００３１】
これにより、左右一対のブーツ２０、２０を上下互い違いに対向配置する状態で任意の収納箇所、例えば、図４に示すように、下駄箱３０内に一方のブーツ２０の幅分だけの省スペースの状態で収納するものである。なお、図４において、３１は下駄箱３０の扉である。
【００３２】
本実施例２に係るブーツ収納具セット１１によれば、２個のブーツ収納具１の一方を設置面上で正立状態に配置し、他方を倒立状態として左右一対のブーツ２０、２０を上下互い違いに対向配置する状態で下駄箱３０内等の収納箇所に収納することができ、これにより、一足のブーツ２０、２０を幅を取らず、かつ、型くずれしない状態で収納することができる。
【００３３】
また、ブーツ収納具１には、ブーツ２０の靴先近傍の両側部が締め付けられる状態でその靴先側が装着されるとともに、突出端側に一対の拡開片２ａ、２ａを備ることから、正立状態における一方のブーツ収納具１により正立状態における他方のブーツ２０の靴先部分を安定した状態で支持でき、かつ、一方のブーツ２０を倒立状態で安定して支持できる。
【００３４】
更に、各ブーツ収納具１、１の各ブーツ内挿入筒部３は、前記装着領域４に連なる空気流通路５を形成するので、各ブーツ２０、２０内の湿気、臭気を、各ブーツ内挿入筒部３を経て外部に抜くことができる。加えて、各ブーツ収納具１、１は各々一体構成であるためブーツ２０、２０の装着や、各ブーツ収納具１、１の保管等の取り扱いも極めて簡略である。
【００３５】
（実施例３）
図５を参照して本発明の実施例３に係るブーツ収納具セット１１Ａについて説明する。
【００３６】
本実施例３に係るブーツ収納具セット１１Ａは、図５に示すように、上述したブーツ収納具１を２個用いてセットにしたものである。
【００３７】
すなわち、本実施例３に係るブーツ収納具セット１１Ａにおいては、設置面上で２個のブーツ収納具１、１を、ブーツ靴先装着部２を下側とする並列状態に配置し、２個のブーツ収納具１、１の各ブーツ内挿入筒部３に一対のブーツ２０の胴筒部２１を各々挿入して一対のブーツ２０を倒立状態で任意の収納箇所、例えば実施例１の場合と同様な下駄箱３０内等に並列収納するようにしたものである。
【００３８】
本実施例３に係るブーツ収納具セット１１Ａによれば、２個のブーツ収納具１、１により一対のブーツ２０を各々倒立状態で支持することから、一対のブーツ２０を倒立状態で型くずれすることなく安定して支持することができる。
【００３９】
また、各ブーツ収納具１、１の各ブーツ内挿入筒部３は、前記装着領域４に連なる空気流通路５を形成するので、各ブーツ２０内の湿気、臭気を、各ブーツ内挿入筒部３を経て外部に抜くことができる。更に、各ブーツ収納具１、１は各々が一体構成であるため取り扱いも極めて簡略である。
【００４０】
（実施例４）
図６を参照して本発明の実施例４に係るブーツ収納具セット１１Ｂについて説明する。
【００４１】
本実施例４に係るブーツ収納具セット１１Ｂは、図６に示すように、上述したブーツ収納具１を２個用いてセットにしたものである。
【００４２】
すなわち、本実施例４に係るブーツ収納具セット１１Ｂにおいては、設置面上で一対のブーツ２０を正立状態で並列配置し、一対のブーツ２０の胴筒部２１に各々２個のブーツ収納具１、１のブーツ内挿入筒部３を挿入して、図６に示すように、２個のブーツ収納具１、１を一対のブーツ２０の各上端側で倒立状態に配置するものである。
【００４３】
これにより、左右一対のブーツ２０について、型崩れ防止等の特別な手入れを要することなく、２個のブーツ収納具１、１の保管の便宜を図ることができる。
【００４４】
また、各ブーツ収納具１、１の各ブーツ内挿入筒部３は、前記装着領域４に連なる空気流通路５を形成するので、各ブーツ２０内の湿気、臭気を、各ブーツ内挿入筒部３を経て外部に抜くことができる。更に、各ブーツ収納具１、１は各々一体構成であるため取り扱いも極めて簡略である。
【００４５】
なお、上述した実施例４においては、ブーツ収納具１によりブーツ２０を倒立状態で支持することから、ブーツ２０の外周部に対するブラッシングによる磨き作業や汚れ除去作業等を倒立状態のままで容易に行うことができる利点もある。
【００４６】
（実施例５）
図７〜図１０を参照して本発明の実施例５に係るブーツ収納具４１及びブーツ収納具セット６１について説明する。
【００４７】
本実施例４に係るブーツ収納具４１は、主にロングブーツ５０用に適用されるものであり、ロングブーツ５０の靴先近傍の両側部が締め付けられる状態でその靴先側が装着される装着領域４４を有する一対の刺股状のブーツ靴先装着部４２、４２と、このブーツ靴先装着部に対して前記装着領域４４とは反対側に突出する状態に連設した円筒状若しくは略円筒状或いは略裁頭楕円錐状又は略楕円筒状で前記装着領域４４に連なる空気流通路４５を内部に有するとともに、任意数の空気穴４６を筒壁部に設け、全長Ｈ２をロングブーツに対応する例えば５０ｃｍ〜５２位の寸法としたブーツ内挿入用のブーツ内挿入筒部４３とを、例えば合成樹脂材により一体構成したものである。
【００４８】
前記ブーツ靴先装着部４２、４２は、図７に示すように、側面形状が略台形状で刺股状に形成され、これらの間に装着領域４４を形成するとともに、前記ブーツ靴先装着部４２、４２の上端を前記ブーツ内挿入筒部４３のくびれ部４３ａに連設している。
【００４９】
前記ブーツ内挿入筒部４３の筒壁部には、その突出方向に沿って例えば長穴状の任意数の空気穴４６を穿設している。また、前記ブーツ内挿入筒部４３の突出端側は、縁取り加工が施された滑らかな端面を有するように形成し、ロングブーツ５０を挿入したときその内壁部を損傷しないように配慮している。
【００５０】
本実施例５のブーツ収納具４１によれば、刺股状のブーツ靴先装着部４２、４２に対してロングブーツ５０（左右一対のうちの一方）の靴先側を靴先近傍の両側部が締め付けられる状態で装着することで、このロングブーツ５０を正立状態で安定して支持できる。
【００５１】
また、装着領域４４に連なる空気流通路４５を形成するブーツ内挿入筒部４３に対してロングブーツ５０（左右一対のうちの他方）の胴筒部５１を嵌め付けることで、このロングブーツ５０を倒立状態で支持でき、かつ、このロングブーツ５０内の湿気、臭気を前記空気穴４６及びブーツ内挿入筒部４３における空気流通路４５を経て外部に自然に抜くことができる。更に、ブーツ収納具４１は全体が一体構成であるため、取り扱いも極めて簡略となる。
【００５２】
次に、本実施例５に係るブーツ収納具４１を２個用いるブーツ収納具セット６１について図１０を参照して説明する。
【００５３】
本実施例５に係るブーツ収納具セット６１においては、図１０に示すように、設置面上で正立状態に配置する一方のブーツ収納具４１のブーツ内挿入筒部４３を左右一対の内の一方におけるロングブーツ５０の胴筒部５１内に挿入してこの一方のロングブーツ５０を倒立状態で支持するとともに、一方のブーツ収納具４１のブーツ靴先装着部４２に左右一対のうちの他方のロングブーツ５０の足先を締め付けるようにして装着し、他方のロングブーツ５０を正立状態で保持する。
【００５４】
また、正立状態における他方のロングブーツ５０の胴筒部５１内に、倒立状態における他方のブーツ収納具４１のブーツ内挿入筒部４３を挿入するとともに、この他方のブーツ収納具４１のブーツ靴先装着部４２に前記一方のロングブーツ５０の足先を締め付けるようにして装着し、この一方のロングブーツ５０を倒立状態で保持する。
【００５５】
これにより、左右一対のロングブーツ５０、５０を上下互い違いに対向配置する状態で任意の収納箇所に、例えば、既述した場合と同様に一方のロングブーツ５０の幅分だけの省スペースの状態で収納するものである。
【００５６】
本実施例５に係るブーツ収納具セット６１によれば、２個のブーツ収納具４１の一方を設置面上で正立状態に配置し、他方を倒立状態として左右一対のロングブーツ５０、５０を上下互い違いに対向配置する状態で図４に示すような下駄箱３０内等の収納箇所に収納することができ、これにより、一足のロングブーツ５０、５０を幅を取らず、かつ、型くずれしない状態で収納することができる。
【００５７】
更に、各ブーツ収納具４１、４１の各ブーツ内挿入筒部４３は、前記装着領域４４に連なる空気流通路４５を形成するとともに、空気穴４６をブーツ内挿入筒部４３に設けているので、各ロングブーツ５０、５０内の湿気、臭気を、各ブーツ内挿入筒部４３を経て外部に抜くことができる。加えて、各ブーツ収納具４１、４１は各々一体構成であるためロングブーツ５０、５０の装着や、各ブーツ収納具４１、４１の保管等の取り扱いも極めて簡略である。
【００５８】
（実施例６）
図１１乃至図１６を参照して本発明の実施例６に係るブーツ収納具７１及びブーツ収納具セット９１について説明する。
【００５９】
本実施例６に係るブーツ収納具７１は、ロングブーツ５０、ハーフブーツ５０Ａの選択取り替え型として構成したものである。
【００６０】
すなわち、本実施例６に係るブーツ収納具７１は、図１１乃至図１４に示すように、既述した実施例５に係るブーツ収納具４１と略同様な外観形状を呈するとともに、ブーツ内挿入筒部７３の突出寸法をロングブーツ５０の寸法に応じて調整可能に、かつ、ハーフブーツ５０Ａにも対応可能に構成したことが特徴である。
【００６１】
本実施例６に係るブーツ収納具７１について更に詳述する。このブーツ収納具７１は、図１１乃至図１４に示すように、ブーツ（ロングブーツ５０又はハーフブーツ５０Ａ）の靴先近傍の両側部が締め付けられる状態で、その靴先側が装着される装着領域７４を有する実施例５に係るブーツ収納具４１の場合と同様な一対の刺股状のブーツ靴先装着部７２、７２と、このブーツ靴先装着部７２、７２に対して前記装着領域７４とは反対側に突出する状態で連設した基部筒部７３ａとこの基部筒部７３ａに着脱可能な突出端側の突出筒部７３ｂとを具備するブーツ内挿入筒部７３と、を有している。
【００６２】
前記ブーツ内挿入筒部７３は、基部筒部７３ａに対して突出筒部７３ｂを装着した状態で内部に前記装着領域７４に連なる空気流通路７５を形成するロングブーツ５０挿入用の円筒状若しくは略円筒状或いは略裁頭楕円錐状又は略楕円筒状を呈する形状に構成している。
【００６３】
また、前記ブーツ内挿入筒部７３は、基部筒部７３ａ及び突出筒部７３ｂの筒壁部に、その突出方向に沿って、例えば長穴状の任意数の空気穴７６を穿設している。また、前記突出筒部７３ｂの突出端側は、縁取り加工が施された滑らかな端面を有するように形成し、ロングブーツ５０を挿入したときその内壁部を損傷しないように配慮している。
【００６４】
更に、前記ブーツ内挿入筒部７３は、前記基部筒部７３ａに対する突出筒部７３ｂの装着位置をロングブーツ５０の長さ寸法に応じた調整可能な突出寸法調整機構７７を備えている。
【００６５】
前記突出寸法調整機構７７は、図１４に示すように、基部筒部７３ａの上部側に円筒状若しくは略円筒状或いは略裁頭楕円錐状又は略楕円筒状の受筒部７８を設けて、この受筒部７８に突出筒部７３ｂの下部側を着脱可能に装着する構成とするとともに、受筒部７８に壁面部に小寸法の係合突起７９を突設し、突出筒部７３ｂ側にはその突出方向に沿って例えば４箇所の係合受孔８０を直線的配列で設け、係合突起７９に対する４箇所の係合受孔８０の係合位置を選択的に変えることで、前記基部筒部７３ａに対する突出筒部７３ｂの装着位置を変更可能としている。前記受筒部７８に対する突出筒部７３ｂの装着、離脱は、これら受筒部７８、突出筒部７３ｂの弾力を利用して行なうものである。
【００６６】
このような構成により、前記ブーツ内挿入筒部７３の突出寸法、換言すれば、ブーツ収納具７１自体の全長Ｈ３（最大で５２ｃｍ位）を長さ寸法の異なる複数種のロングブーツ５０に対応し得るようにしている。
【００６７】
この場合、前記突出筒部７３ｂとして、図１１に示す寸法の突出筒部７３ｂに替えて、異なる長さ寸法の突出筒部（図示せず）を別途用意し、前記受筒部７８に装着することでブーツ収納具７１自体の全長Ｈ３を調整するようにすることもできる。
【００６８】
本実施例６のブーツ収納具７１によれば、図１１に示すように前記基部筒部７３ａに突出筒部７３ｂを装着してブーツ内挿入筒部７３とした場合には、実施例５のブーツ収納具４１の場合と同様、ロングブーツ５０を正立状態で、あるいは倒立状態で安定して支持でき、また、ロングブーツ５０を倒立状態で支持した場合には、このロングブーツ５０内の湿気、臭気を前記空気穴７６及びブーツ内挿入筒部７３における空気流通路７５を経て外部に自然に抜くことができる。更に、ブーツ収納具７１は全体が一体構成であるため、取り扱いも極めて簡略となる。
【００６９】
次に、本実施例６に係るブーツ収納具７１を２個用いるブーツ収納具セット９１について図１５、図１６を参照して説明する。
【００７０】
本実施例６に係るブーツ収納具セット９１において、図１１に示すように前記基部筒部７３ａに突出筒部７３ｂを装着してブーツ内挿入筒部７３とした構成の場合には、図１５に示し、また、実施例５で述べたと同様にして、左右一対のロングブーツ５０、５０を上下互い違いに対向配置する状態で任意の収納箇所に、例えば、既述した場合と同様に一方のロングブーツ５０の幅分だけの省スペースの状態で収納することができる。
【００７１】
また、本実施例６に係るブーツ収納具セット９１によれば、２個のブーツ収納具７１の一方を設置面上で正立状態に配置し、他方を倒立状態として左右一対のロングブーツ５０、５０を上下互い違いに対向配置する状態で、図４に示すような下駄箱３０内等の収納箇所に収納することができ、これにより、一足のロングブーツ５０、５０を幅を取らず、かつ、型くずれしない状態で収納することができる。
【００７２】
更に、各ブーツ収納具７１、７１の各ブーツ内挿入筒部７３は、前記装着領域７４に連なる空気流通路７５を形成するとともに、空気穴７６をブーツ内挿入筒部７３に設けているので、各ロングブーツ５０、５０内の湿気、臭気を、各ブーツ内挿入筒部７３を経て外部に抜くことができる。加えて、各ブーツ収納具７１、７１は各々一体構成であるためロングブーツ５０、５０の装着や、各ブーツ収納具７１、７１の保管等の取り扱いも極めて簡略である。
【００７３】
次に、本実施例６に係るブーツ収納具セット９１において、図１６に示すように前記基部筒部７３ａから突出筒部７３ｂを離脱して突出筒部７３ｂを具備しないブーツ内挿入筒部７３とした構成の場合には、このブーツ収納具セット９１の全長Ｈ４は、例えば２０ｃｍ〜２５ｃｍ位となり、ハーフブーツ５０Ａの収納用として好適となる。
【００７４】
すなわち、この場合には、ブーツ収納具セット９１が突出筒部７３ｂを具備しない構成の基に、左右一対のハーフブーツ５０Ａ、５０Ａを上下互い違いに対向配置する状態で任意の収納箇所に、例えば、既述した場合と同様に一方のハーフブーツ５０Ａの幅分だけの省スペースの状態で収納することができる。
【００７５】
また、２個のブーツ収納具７１の一方を設置面上で正立状態に配置し、他方を倒立状態として左右一対のハーフブーツ５０Ａ、５０Ａを上下互い違いに対向配置する状態で図４に示すような下駄箱３０内等の収納箇所に収納することができ、これにより、一足のハーフブーツ５０Ａ、５０Ａを幅を取らず、かつ、型くずれしない状態で収納することができる。
【００７６】
更に、各ブーツ収納具７１、７１の各ブーツ内挿入筒部７３における基部筒部７３ａも、前記装着領域７４に連なる空気流通路７５を形成するとともに、空気穴７６を設けているので、各ハーフブーツ５０Ａ、５０Ａ内の湿気、臭気を、各ブーツ内挿入筒部７３を経て外部に抜くことができる。また、この場合も、各ブーツ収納具７１、７１は各々一体構成であるためハーフブーツ５０Ａ、５０Ａの装着や、各ブーツ収納具７１、７１の保管等の取り扱いも極めて簡略である。
【００７７】
（実施例７）
図７を参照して本発明の実施例７に係るブーツ収納具１０１及びブーツ収納具セット１１１について説明する。
【００７８】
本実施例７に係るブーツ収納具１０１は、ハーフブーツ５０Ａ専用に構成したものであり、このブーツ収納具１０１は、図１７に示すように、上述した実施例６に係るブーツ収納具７１において、前記基部筒部７３ａから突出筒部７３ｂを離脱して突出筒部７３ｂを具備しないブーツ内挿入筒部７３とした構成の場合と略同様な構成としたことが特徴である。
【００７９】
本実施例７に係るブーツ収納具１０１は、図１７に示すように、ハーフブーツ５０Ａの靴先近傍の両側部が締め付けられる状態でその靴先側が装着される装着領域１０４を有する一対の刺股状のブーツ靴先装着部１０２と、このブーツ靴先装着部１０２に対して前記装着領域１０４とは反対側に突出する状態に連設した円筒状若しくは略円筒状或いは略裁頭楕円錐状又は略楕円筒状で前記装着領域１０４に連なる空気流通路１０５を有するとともに、任意数の空気穴１０６を筒壁部に設け、全長をハーフブーツに対応する寸法としたブーツ内挿入用のブーツ内挿入筒部１０３とを例えば合成樹脂材により一体構成し、このブーツ収納具１０１の全長Ｈ４を２０ｃｍ〜２５ｃｍ位にしたものである。
【００８０】
前記ブーツ内挿入筒部１０３の突出端側は、縁取り加工が施された滑らかな端面を有するように形成し、ハーフブーツ５０Ａを挿入したときその内壁部を損傷しないように配慮している。
【００８１】
本実施例７のブーツ収納具１０１によれば、既述した場合と同様にして、刺股状のブーツ靴先装着部１０２に対してハーフブーツ５０Ａ（左右一対のうちの一方）の靴先側を靴先近傍の両側部が締め付けられる状態で装着することで、このハーフブーツ５０Ａを正立状態で安定して支持できる。
【００８２】
また、前記装着領域１０４に連なる空気流通路１０５を形成するブーツ内挿入筒部１０３に対してロングブーツ５０（左右一対のうちの他方）の胴筒部５１を嵌め付けることで、このハーフブーツ５０Ａを倒立状態で支持でき、かつ、このハーフブーツ５０Ａ内の湿気、臭気を前記空気穴１０６及びブーツ内挿入筒部１０３における空気流通路１０５を経て外部に自然に抜くことができる。更に、ブーツ収納具１０１は全体が一体構成であるために、取り扱いも極めて簡略となる。
【００８３】
次に、本実施例７に係るブーツ収納具１０１を２個用いるブーツ収納具セット１１１について図１７を参照して説明する。
【００８４】
本実施例７に係るブーツ収納具セット１１１においては、実施例６において述べた場合と同様に、左右一対のハーフブーツ５０Ａ、５０Ａを上下互い違いに対向配置する状態で任意の収納箇所に、例えば、既述した場合と同様に一方のハーフブーツ５０Ａの幅分だけの省スペースの状態で収納することができる。
【００８５】
また、２個のブーツ収納具１０１の一方を設置面上で正立状態に配置し、他方を倒立状態として左右一対のハーフブーツ５０Ａ、５０Ａを上下互い違いに対向配置する状態で図４に示すような下駄箱３０内等の収納箇所に収納することができ、これにより、一足のハーフブーツ５０Ａ、５０Ａを幅を取らず、かつ、型くずれしない状態で収納することができる。
【００８６】
この場合も、各ブーツ収納具１０１、１０１は各々一体構成であるためハーフブーツ５０Ａ、５０Ａの装着や、各ブーツ収納具７１、７１の保管等の取り扱いも極めて簡略である。
【００８７】
なお、既述した実施例１乃至４の各ブーツ収納具１、１におけるブーツ内挿入筒部３の筒壁部に空気穴を設ける構成とすることももちろん可能である。
【００８８】
また、既述した実施例５乃至７の各ブーツ収納具セットの場合も、図５に示すような設置面上において２個のブーツ収納具をブーツ靴先装着部を下側とする並列状態とする使用態様としたり、図６に示すような設置面上において一対のブーツを正立状態で並列配置して、２個のブーツ収納具を一対のブーツ内に挿入する使用態様とすることももちろん可能である。
【産業上の利用可能性】
【００８９】
本発明のブーツ収納具及びブーツ収納具セットは、胴筒部の寸法が大きいロングブーツ、胴筒部の寸法が小さいハーフブーツを問わず広範に適用することができ、更に、胴筒部の寸法がある程度有るスポーツヒューズ、登山靴等の収納用としても応用可能である。
【図面の簡単な説明】
【００９０】
【図１】本発明の実施例１に係るブーツ収納具の側面図である。
【図２】本発明の実施例１に係るブーツ収納具の正面図である。
【図３】本発明の実施例２に係るブーツ収納具セットの使用状態を示す図である。
【図４】本発明の実施例２に係るブーツ収納具セットの使用状態を示す図である。
【図５】本発明の実施例３に係るブーツ収納具セットの使用状態を示す図である。
【図６】本発明の実施例４に係るブーツ収納具セットの使用状態を示す図である。
【図７】本発明の実施例５に係るブーツ収納具の概略側面図である。
【図８】本発明の実施例５に係るブーツ収納具の概略平面図である。
【図９】本発明の実施例５に係るブーツ収納具の概略正面図である。
【図１０】本発明の実施例５に係るブーツ収納具セットの使用状態を示す図である。
【図１１】本発明の実施例６に係るブーツ収納具の側面側から見た状態の概略縦断面図である。
【図１２】本発明の実施例６に係るブーツ収納具の平面図である。
【図１３】本発明の実施例６に係るブーツ収納具の正面側から見た状態の概略縦断面図である。
【図１４】本発明の実施例６係るブーツ収納具の分解斜視図である。
【図１５】本発明の実施例６に係るブーツ収納具セットのロングブーツ対応の使用状態を示す図である。
【図１６】本発明の実施例６に係るブーツ収納具セットのハーフブーツ対応の使用状態を示す図である。
【図１７】本発明の実施例７に係るブーツ収納具セット及びその使用状態を示す図である。
【符号の説明】
【００９１】
１    ブーツ収納具
２    ブーツ靴先装着部
２ａ  拡開片
２ｂ  端面
３    ブーツ内挿入筒部
４    装着領域
５    空気流通路
１１    ブーツ収納具セット
１１Ａ  ブーツ収納具セット
１１Ｂ  ブーツ収納具セット
２０    ブーツ
２１    胴筒部
３０    下駄箱
３１    扉
４１    ブーツ収納具
４２    ブーツ靴先装着部
４３    ブーツ内挿入筒部
４３ａ  くびれ部
４４    装着領域
４５    空気流通路
４６    空気穴
５０    ロングブーツ
５０Ａ  ハーフブーツ
５１    胴筒部
６１    ブーツ収納具セット
７１    ブーツ収納具
７２    ブーツ靴先装着部
７３    ブーツ内挿入筒部
７３ａ  基部筒部
７３ｂ  突出筒部
７４    装着領域
７５    空気流通路
７６    空気穴
７７    突出寸法調整機構
７８    受筒部
７９    係合突起
８０    係合受孔
９１    ブーツ収納具セット
１０１    ブーツ収納具
１０２    ブーツ靴先装着部
１０３    ブーツ内挿入筒部
１０４    装着領域
１０５    空気流通路
１０６    空気穴
１１１    ブーツ収納具セット
【図１】
2008253462.tif 000003
【図２】
2008253462.tif 000004
【図３】
2008253462.tif 000005
【図４】
2008253462.tif 000006
【図５】
2008253462.tif 000007
【図６】
2008253462.tif 000008
【図７】
2008253462.tif 000009
【図８】
2008253462.tif 000010
【図９】
2008253462.tif 000011
【図１０】
2008253462.tif 000012
【図１１】
2008253462.tif 000013
【図１２】
2008253462.tif 000014
【図１３】
2008253462.tif 000015
【図１４】
2008253462.tif 000016
【図１５】
2008253462.tif 000017
【図１６】
2008253462.tif 000018
【図１７】
2008253462.tif 000019